(57)【要約】【課題】  折版屋根材使用のもの、折版屋根材にタイトフレーム使用のもの共に、断熱効率のよい外断熱は採用したが、通気のことは全く考慮しておらず、また屋根板を躯体に取り付ける作業を、作業員が下向きの状態で屋根板の裏側にまで手を延ばして行うため、作業性が悪く、誤って地上に落下する等、甚だ危険性が多い。また屋根板とタイトフレームを単に嵌合取り付けしただけのため、強度的に弱かった。【解決手段】  平坦屋根の上面に隙間のないように断熱材６を敷設し、さらにその上に、一端部に屋根板下面支持縁を有する脚状リブ部を形成するとともに他端部に脚状リブ部嵌合用折曲縁、または屋根板下面支持縁重合縁を形成し、脚状リブ部に折曲縁を嵌合し、または屋根板下面支持縁に屋根板下面支持縁重合縁を重合した屋根材Ａを敷設し、この屋根材Ａの敷設を脚状リブ間の空隙と直交するように適宜長さ毎に角部通気部Ｅを設けるように連結した平坦な外断熱通気屋根。【選択図】図１
2005256475.tif 000002
【特許請求の範囲】
【請求項１】
軽量コンクリート、鉄筋コンクリート、セラミック系不燃板等からなる平坦屋根の上面に隙間のないように断熱材を敷設し、さらにその上に、一端部に屋根板下面支持縁を有する脚状リブ部を形成するとともに他端部に脚状リブ部嵌合用折曲縁、または屋根板下面支持縁重合縁を形成し、前記脚状リブ部に前記折曲縁を嵌合し、または前記屋根板下面支持縁に前記屋根板下面支持縁重合縁を重合した屋根材を敷設し、この屋根材の敷設を脚状リブ間の空隙と直交するように適宜長さ毎に中間通気部を設けるように連結したことを特徴とする平坦な外断熱通気屋根。
【請求項２】
請求項１に記載の平坦な外断熱通気屋根において、略直角に立ち上げた軽量コンクリート、鉄筋コンクリート、セラミック系不燃板等からなるパラペット部も同様に隙間のないように断熱材を設け、さらにその外面に屋根材を設け、このパラペット部の屋根材と平坦屋根に敷設した屋根材の角部連結部に各々の屋根材の脚状リブ間の空隙と直交するように角部通気部を設けて連結したことを特徴とするパラペット部を有する平坦な外断熱通気屋根。
【請求項３】
屋根材の上面に防水層を形成したことを特徴とする請求項１または請求項２に記載の平坦な外断熱通気屋根。
【請求項４】
平坦な軽量コンクリート、鉄筋コンクリート、セラミック系不燃板等の屋根上に、断熱材を隙間のないように敷設し、さらにその上から一端部に屋根板下面支持縁を有する脚状リブ部を形成するとともに他端部に脚状リブ部嵌合用折曲縁、または屋根板下面支持縁重合縁を形成し、前記脚状リブ部に前記折曲縁を嵌合し、または前記屋根板下面支持縁に前記屋根板下面支持縁重合縁を重合した屋根材の脚状リブ間の空隙と直交する方向に適宜長さ毎に間隙を設けるように連結して敷設することを特徴とする平坦な外断熱通気屋根を形成する施工方法。
【発明の詳細な説明】
【技術分野】
【０００１】
本発明は、通常折版屋根と称される金属を折り曲げた屋根材（東邦シートフレーム株式会社の商品名アイデッキルーフ等）を使用して、例えば鉄骨構造物等において、フラット面を有する軽量コンクリート（以下、ＡＬＣという）や鉄筋コンクリート（以下、ＲＣという）からなる平坦屋根に平坦な屋根材を用いて形成したフラットな外断熱通気屋根及びその施工方法に関するものである。
【背景技術】
【０００２】
従来の鉄骨構造物等における、通常アイデッキと称するアイデッキルーフを用いたフラット屋根は、脚状リブの下端を躯体（梁・または母屋等）に直接取り付けて屋根を構成していたもの（例えば、特許文献１参照）が存在している。
また、波形に成形した金属屋根板を同じく波形に成形したタイトフレームにより躯体に取り付けるようにした折板屋根の施工法（例えば、特許文献２参照）が存在している。
【特許文献１】実公平５−２４７４０号公報（実用新案登録請求の範囲、考案の詳細な説明の欄の｛作用｝、｛実施例｝、図１、図４、図５）
【特許文献２】特開２００１−１２０１９（特許請求の範囲、発明の詳細な説明の欄の段落｛０００５｝、｛０００６｝、｛０００７｝、図１０、図１２）
【発明の開示】
【発明が解決しようとする課題】
【０００３】
しかしながら、上記従来技術において、前者の引用文献１に示された（アイデッキルーフ使用のもの）の場合は、断熱効率のよい外断熱を採用したが、通気のことは全く考慮しておらず、また屋根板の脚状リブ部の下端を直接躯体に溶接またはビス止め等の手段により取り付ける作業を、通常、作業員が屋根板上から下向きの状態で屋根板の裏側にまで手を延ばして行うため、作業性が悪く、また誤って地上に落下する等、甚だ危険性の多いものであった。
また、後者の引用文献２に示された（タイトフレーム使用のもの）の場合は、断熱効率のよい外断熱のこと、通気のことは全く考慮されておらず、また屋根板とタイトフレームが単に同型の波形に成形されたものを相互に嵌合取り付けしただけのものであるため、強度的に弱く、しかも屋根板上面に防水構造を設ける場合に、屋根板が波形であるため、施工上危険であり、面倒である等の問題があった。
【課題を解決するための手段】
【０００４】
上記課題を解決するための本発明の第１発明は、請求項１に記載された通りの平坦な外断熱通気屋根であり、次のようなものである。
軽量コンクリート、鉄筋コンクリート、セラミック系不燃板等からなる平坦屋根の上面に隙間のないように断熱材を敷設し、さらにその上に、一端部に屋根板下面支持縁を有する脚状リブ部を形成するとともに他端部に脚状リブ部嵌合用折曲縁、または屋根板下面支持縁重合縁を形成し、前記脚状リブ部に前記折曲縁を嵌合し、または前記屋根板下面支持縁に前記屋根板下面支持縁重合縁を重合した屋根材を敷設し、この屋根材の敷設を脚状リブ間の空隙と直交するように適宜長さ毎に中間通気部を設けるように連結する構成である。
【０００５】
上記課題を解決するための本発明の第２発明は、請求項２に記載された通りの平坦な外断熱通気屋根であり、次のようなものである。
請求項１に記載の平坦な外断熱通気屋根において、略直角に立ち上げた軽量コンクリート、鉄筋コンクリート、セラミック系不燃板等からなるパラペット部も同様に隙間のないように断熱材を設け、さらにその外面に屋根材を設け、このパラペット部の屋根材と平坦屋根に敷設した屋根材の角部連結部に各々の屋根材の脚状リブ間の空隙と直交するように角部通気部を設けて連結する構成である。
【０００６】
上記課題を解決するための本発明の第３発明は、請求項３に記載された通りの平坦な外断熱通気屋根を形成する施工方法であり、次のようなものである。
請求項１または請求項２に記載の平坦な外断熱通気屋根に加えて、屋根材の上面に防水層を形成する構成である。
【０００７】
上記課題を解決するための本発明の第４発明は、請求項４に記載された通りの平坦な外断熱通気屋根の施工方法であり、次のようなものである。
平坦な軽量コンクリート、鉄筋コンクリート、セラミック系不燃板等の屋根上に、断熱材を隙間のないように敷設し、さらにその上から一端部に屋根板下面支持縁を有する脚状リブ部を形成するとともに他端部に脚状リブ部嵌合用折曲縁、または屋根板下面支持縁重合縁を形成し、前記脚状リブ部に前記折曲縁を嵌合し、または前記屋根板下面支持縁に前記屋根板下面支持縁重合縁を重合した屋根材の脚状リブ間の空隙と直交する方向に適宜長さ毎に間隙を形成するように連結して敷設する施工方法である。
【発明の効果】
【０００８】
本発明に係る平坦な外断熱通気屋根及びその施工方法は、上記説明のような構成であるので、以下に記載する効果を奏する。
（１）平坦な屋根（陸屋根）において寒暖の差が激しい場所では断熱が必要である。この際の透湿によるカビや結露による弊害を防止する通気を可能にしたものである。
（２）勾配のない平坦屋根及びその屋根のパラペット部の雨仕舞いが簡単に確実にできる。
（３）平坦な屋根において、外断熱方式であるために断熱材がコンクリートを覆っているため、外環境の影響を受け難いものである。
【発明を実施するための最良の形態】
【０００９】
軽量コンクリート、鉄筋コンクリート、セラミック系不燃板等からなる平坦屋根及びその屋根のパラペット部の面に、隙間のないように断熱材を敷設し、さらにその上に、一端部に屋根板下面支持縁を有する脚状リブ部を形成するとともに他端部に脚状リブ部嵌合用折曲縁、または屋根板下面支持縁重合縁を形成し、前記脚状リブ部に前記折曲縁を嵌合し、または前記屋根板下面支持縁に前記屋根板下面支持縁重合縁を重合した屋根材を敷設し、この屋根材の敷設を脚状リブ間の空隙と直交するように適宜長さ毎に間隙を設けるように連結し、さらに略直角に立ち上げた軽量コンクリート、鉄筋コンクリート、セラミック系不燃板等からなるパラペット部も同様に隙間のないように断熱材を設け、さらにその外面に屋根材を設け、このパラペット部の屋根材と平坦屋根に敷設した屋根材の角部連結部に各々の屋根材の脚状リブ間の空隙と直交するように間隙を設けるように連結したパラペット部を有する平坦な外断熱通気屋根。
【実施例１】
【００１０】
図１は、パラペット部を有する平坦な屋根を示す断面図、図２は、平坦な屋根の要部拡大断面図、図３は、平坦な屋根の中間通気部を形成した状態を示す要部拡大断面図、図４（ａ）は、フラット屋根における屋根板の他端側フラット面に脚状リブ部嵌合用折曲縁を形成したものを示す正面図、（ｂ）は同じく屋根板の脚状リブ部嵌合用折曲縁を屋根板下面支持縁重合縁（フラット延長部）に形成したものを示す正面図、図５は、フラット屋根の屋根板の一部拡大正断面図である。
【００１１】
本発明は、新築でも補修の屋根でも現在社会的に問題視されている内断熱が引き起こすカビ等の健康上の問題解決及び、軽量コンクリート、鉄筋コンクリート等が温潤状態に置かれていることを改善する上で、外断熱を採用して通気を考慮し、建築物そのものの長寿命化、また寒暖の温度差に対して、理想的な住環境を可能にした、特に勾配のない平坦な陸屋根構造の外断熱通気屋根を提供するものである。
【００１２】
本発明は、中低層の陸屋根（勾配３／１００以下）である建築物の屋根に対する外断熱通気を行えるようにした平坦な外断熱通気屋根である。
従来、壁用の外断熱通気は、比較的薄い０．４〜０．６ｍｍ厚の亜鉛メッキ鋼板にポリエステル、フッ素等の塗装を行った折板形状のものを採用して行っている。
しかし、この壁材をそのまま屋根に転用すると、一般的に３／１００以上の勾配が必要となってくる。これ以下の勾配で施工すると、雨漏れの問題が発生する。また、折板のため防水層を構成する仕様にすると施工手間が増え、コスト的に問題がある。また、強度的にも問題がある。
これに対して、本発明の外断熱通気屋根を使用した場合、表面がフラットなため直接防水ができ、強度の点でも問題がない。
【００１３】
折板鋼板は凹凸形状のため、端部及び連結部分で雨の進入を防ぐ構造に工夫が必要となり、例えば鋼板金具によって雨仕舞いする構造をとるしか解決できない。
これに対して、本発明の外断熱通気屋根の場合、表面に防水層を施せば、パラペット部の上部まで簡易に防水することができる。
中低層の建築物は、塔屋、機械、給水タンク等が設置されることが多く、壁材を転用すると屋根面にでる設置物（障害物）の脚部の雨仕舞いが困難であるが、本発明の外断熱通気屋根の場合は簡単である。
また、折板形状の壁材を利用して、屋根材に転用すると、ジョイントは重ね合わせになるため、一般的に一方向にしか通気しない構造である。これに対して本発明の外断熱通気屋根の場合は、ジョイント部にクリアランスを設定することが容易で、直交方向にも通気できる構造で、空気溜りを激減することが可能となり通気し易い構造である。
また、壁用の折板形状の屋根だと表面が凹凸形状なので、もう一層フラットにする必要があり、野地板、断熱材等の施工が不可欠となるが、本発明の外断熱通気屋根は直接防水ができるため、施工性の向上とコスト削減が可能である。
外断熱通気壁を屋根に転用すると、嵌合部は片方が差し込み固定であり、屋根材の片方だけ機械固定されている状態となり、雨仕舞い、端部処理、負圧荷重負担に大きな問題がある。これに対して本発明の外断熱通気屋根の場合は、差し込みは必要なく、変形時にも嵌合部が外れづらいものである。
【００１４】
ここで、外断熱と内断熱の違いを簡単に記述すると、
外断熱の場合は、水蒸気圧の違いにより水蒸気は、室内から外側に向って移動しようとするが、室内側の一番近いところに透湿抵抗の大きいコンクリート壁があるため、室内側の水蒸気はそこで塞ぎ止められる。このとき、コンクリートの温度は室内温度と同調するため結露は発生しない。この際、わずかながらもコンクリートを透湿した水蒸気は、外側にあるグラスウール等のほとんど透湿抵抗のない断熱材の中を通過して、通気層から外部へ排出されるものである。
内断熱の場合は、水蒸気圧の違いにより水蒸気は、コンクリートの内側にある断熱材→コンクリート→外装面へと透湿していく。このとき、透湿抵抗の大きいコンクリートが断熱材の外側つまり冷たい側にあるため、コンクリートと断熱材の境界面まで大きな水蒸気圧が働くことになる。よって水蒸気圧により水蒸気が移動し、断熱材の中を透湿する際に、断熱材の温度の低い部分が露点温度となった時、水蒸気は水に変わってしまう（結露水は内装側に移動してカビやダニが発生する原因となる）。
【００１５】
ここで、図１〜図５に基づいて説明すると、本発明は軽量コンクリート、鉄筋コンクリート、セラミック系不燃板等からなる平坦屋根及びその屋根のパラペット部の面に、隙間のないように断熱材を敷設し、さらにその上に、一端部に屋根板下面支持縁を有する脚状リブ部を形成するとともに他端部に脚状リブ部嵌合用折曲縁、または屋根板下面支持縁重合縁を形成し、前記脚状リブ部に前記折曲縁を嵌合し、または前記屋根板下面支持縁に前記屋根板下面支持縁重合縁を重合した屋根材を敷設し、この屋根材の敷設を脚状リブ間の空隙と直交するように適宜長さ毎に間隙を設けるように連結し、さらに略直角に立ち上げた軽量コンクリート、鉄筋コンクリート、セラミック系不燃板等からなるパラペット部も同様に隙間のないように断熱材を設け、さらにその外面に屋根材を設け、このパラペット部の屋根材と平坦屋根に敷設した屋根材の角部連結部に各々の屋根材の脚状リブ間の空隙と直交するように間隙を有するように連結したパラペット部を有する平坦な外断熱通気屋根である。
なお、上記セラミック系不燃板としては、例えばケイ酸カルシウム板、石膏ボード、木毛セメント板、グラスウール板、ロックウール板およびこれらの合成板等が使用可能である。また断熱材６としては、例えばポリイソシアヌレート、フェノール等の合成樹脂系板および上記セラミック系不燃板と同質のものを含むものが使用可能であり、また防水層Ｆとしては、例えば塩化ビニール樹脂、その他の合成樹脂系防水シート、アスファルト防水シート、アルミ箔、その他の金属系防水シート、ゴム、合成ゴム系防水シートの他、ステンレス防水板、鉛防水板、着色溶融亜鉛メッキ銅板等の金属系防水板等が使用可能である。
【産業上の利用可能性】
【００１６】
鉄骨構造物等において、平坦屋根だけでなく、傾斜した屋根や壁にも簡単に応用して利用することができる。
【図面の簡単な説明】
【００１７】
【図１】本発明の一実施例に係るパラペット部を有する平坦な屋根を示す断面図である。
【図２】平坦な屋根の要部拡大断面図である。
【図３】平坦な屋根の中間通気部を形成した状態を示す要部拡大断面図である。
【図４】（ａ）は、フラット屋根における屋根板の他端側フラット面に脚状リブ部嵌合用折曲縁を形成したものを示す正面図、（ｂ）は同じく屋根板の脚状リブ部嵌合用折曲縁を屋根板下面支持縁重合縁（フラット延長部）に形成したものを示す正面図である。
【図５】本発明のフラット屋根の屋根板の一部拡大正断面図である。
【符号の説明】
【００１８】
１・・・・脚状リブ部
１ａ、１ａ・・・・垂直壁部
２・・・・押拡底部
３・・・・フラット面
４・・・・脚状リブ部嵌合用折曲縁
４´・・・・屋根板下面支持縁重合縁
５・・・・補強用凹・凸部
６・・・・断熱材
７・・・・躯体｛梁、母屋、コンクリート（ＡＬＣ）｝
８・・・・笠木
Ａ・・・・屋根板
Ｂ・・・・パラペット部
Ｃ・・・・通気部
Ｄ・・・・中間通気部
Ｅ・・・・角部通気部
Ｆ・・・・防水層
Ｇ・・・・調整板
【図１】
2005256475.tif 000003
【図２】
2005256475.tif 000004
【図３】
2005256475.tif 000005
【図４】
2005256475.tif 000006
【図５】
2005256475.tif 000007